(57)【特許請求の範囲】
【請求項１】
現地盤土砂をセメントスラリーで固化させたソイルセメント壁体と、
前記ソイルセメント壁体の固化前にその内部に挿入される応力負担用の芯材と、
前記ソイルセメント壁体の外方地山側に設けられる通水部とを備えた通水性地中連続壁において、
前記通水部は、前記ソイルセメント壁体の固化前に、前記芯材間に渡設される止水プレートと、
前記ソイルセメント壁体の固化前に、前記止水プレートと前記外方地山との間に、液密性袋体に収納して挿入され、その後に、発泡させて連続気泡を形成して通水性が付与されるとともに、前記液密性袋体を除去して、前記外方地山に接触するフィルター層と、
一端側が前記フィルター層と連通する通水管とを備えたことを特徴とする通水性地中連続壁。
【請求項２】
前記液密性袋体は、温水に接触することで溶解する温水溶解性シート、または、土中のバクテリアやカビなどの微生物で分解される生分解性プラスチックシートからなることを特徴とする請求項１記載の通水性地中連続壁。
【請求項３】
前記止水プレートは、柱列状に形成される前記ソイルセメント壁体の端部重合部分に位置対応して設けられた凹部を有する波形に形成することを特徴とする請求項１または２記載の通水性地中連続壁。
【請求項４】
前記通水管は、下端開口が前記止水プレートに設けられた貫通孔に固設されることを特徴とする請求項１から３のいずれか１項記載の通水性地中連続壁。
【請求項５】
前記貫通孔は、前記止水プレートの前記凹部に設けられ、前記通水管を前記貫通孔に固設することを特徴とする請求項１から４のいずれか１項記載の通水性地中連続壁。
【請求項６】
前記フィルター層は、２液性の連続発泡ゴム材からなることを特徴とする請求項１から５のいずれか１項記載の通水性地中連続壁。
【請求項７】
現地盤土砂にセメントスラリーを供給して混合攪拌して固化させるソイルセメント壁体を地盤中に形成する地中連続壁の構築方法において、
前記ソイルセメント壁体の固化前に応力負担用の芯材を挿入するとともに、前記ソイルセメント壁体の外方地山側に通水部を形成する通水性地中連続壁の構築方法であって、
前記通水部は、止水プレートと、フィルター層と、通水管とを備え、
前記ソイルセメント壁体の固化前に、前記芯材間に前記止水プレートを渡設し、
前記止水プレートと前記外方地山との間に、発泡膨張させて連続気泡を形成して通水性が付与されるフィルター層形成材を液密性袋体内に収納して挿入し、その後に、前記フィルータ層形成材を発泡膨張させて、通水性を有する前記フィルター層を形成するとともに、前記液密性袋体を除去して、前記外方地山に前記フィルター層を接触させ、
一端側が前記フィルター層と連通する前記通水管を設けることを特徴とする通水性地中連続壁の構築方法。
【請求項８】
前記フィルータ層形成材を発泡させる前に、前記芯材と前記ソイルセメント壁体の内方地山との間に、伸縮性袋体を設置し、前記フィルータ層形成材を発泡させる時に、前記伸縮性袋体内にセメントミルクなどの硬化性液体を注入して、前記伸縮性袋体を拡開させることを特徴とする請求項７記載の通水性地中連続壁の構築方法。
【請求項９】
前記ソイルセメント壁体を固化させて形成した後に、前記フィルター層を前記通水管を介して洗浄することを特徴とする請求項７または８記載の通水性地中連続壁の構築方法。
【発明の詳細な説明】
【０００１】
【発明の属する技術分野】
この発明は、通水性地中連続壁およびその構築方法に関し、特に、用地に制約がある場合などに好適な通水性地中連続壁およびその構築方法に関するものである。
【０００２】
【従来の技術】
地下鉄や車両道路用の地下トンネルなどの地下構造物を開削工法で構築する場合、地山の崩落を防止して、内部の掘削を可能にするために止水性を備えた土留め壁が構築される。
【０００３】
この種の土留め壁には、例えば、ソイルセメント柱列式地中連続壁や、コンクリート地中連続壁など各種の構造が提供されている。ところで、このような止水性の地中連続を地中に構築すると、地中連続壁が構築された部分で、地下水脈を遮断するため、地中連続壁の上流側で地下水位が上昇し、下流側で地下水位が低下するいわゆるダムアップ現象が生じる。
【０００４】
そこで、このような現象を解消する方策として、地中連続壁の所定個所に通水装置を設置して、通水性を確保することが提案されていて、例えば、特開平２０００−６４２７０号公報には、ソイルセメント柱列式地中連続壁に通水性を持たせる工法が開示されている。
【０００５】
この公報に開示されている工法は、地盤鉛直方向の掘削孔に、Ｈ鋼などの応力負担用の芯材を設置したソイルセメント柱体を連続配置して止水壁を形成する地中連続壁において通水を確保する方法であって、止水壁と外方地山とにラップして砕石ドレーンなどの集水手段を配置することを基本構成としている。
【０００６】
この工法では、集水手段は、隣接する芯材の内部側に遮水板を設置し、この遮水板に接するようにして、その外部側に設けている。しかしながら、このような構成の通水工法には、以下に説明する課題があった。
【０００７】
【発明が解決しようとする課題】
すなわち、上記公開公報に開示されている通水工法は、止水壁と外方地山とにラップして砕石ドレーンなどの集水手段を配置するので、集水手段が列状に形成されているソイルセメント柱体の厚みよりも、外方地山側に突出する。
【０００８】
このため、周辺用地に制約がある場合には、この工法を採用することができない。また、上記公開公報に開示されている通水工法では、ソイルセメント柱体の構築後に、集水手段を設けるため、集水手段用の掘削などが必要になり、施工工程が複雑化し、手間がかかるのみでなく、施工費も増加する。
【０００９】
本発明は、このような従来の問題点に鑑みてなされたものであって、その目的とするところは、地中連続壁の壁厚よりも外部地山側に突出することがない通水性地中連続壁を提供することにある。
【００１０】
また、別の目的は、地中連続壁の構築後に新たな掘削工程を要することなく構築することができる通水性地中連続壁の構築方法を提供することにある。
【００１１】
【課題を解決するための手段】
上記目的を達成するために、本発明は、現地盤土砂をセメントスラリーで固化させたソイルセメント壁体と、前記ソイルセメント壁体の固化前にその内部に挿入される応力負担用の芯材と、前記ソイルセメント壁体の外方地山側に設けられる通水部とを備えた通水性地中連続壁において、前記通水部は、前記ソイルセメント壁体の固化前に、前記芯材間に渡設される止水プレートと、前記ソイルセメント壁体の固化前に、前記止水プレートと前記外方地山との間に、液密性袋体に収納して挿入され、その後に、発泡させて連続気泡を形成して通水性が付与されるとともに、前記液密性袋体を除去して、前記外方地山に接触するフィルター層と、一端側が前記フィルター層と連通する通水管とを備えている。
このように構成した通水性地中連続壁によれば、通水部が、ソイルセメント壁体の固化前に、芯材間に渡設される止水プレートと、ソイルセメント壁体の固化前に、止水プレートと外方地山との間に、液密性袋体に収納して挿入され、その後に、発泡させて連続気泡を形成して通水性が付与されるとともに、液密性袋体を除去して、外方地山に接触するフィルター層と、一端側がフィルター層と連通する通水管とを備えているので、外方地山側の地下水脈とフイルター層とが連通して、地中連続壁の通水性が確保される。
この場合、通水部には、ソイルセメント壁体の外周から外方に突出する部分が存在しない。
前記液密性袋体は、温水に接触することで溶解する温水溶解性シート、または、土中のバクテリアやカビなどの微生物で分解される生分解性プラスチックシートで構成することができる。
この構成によれば、フイルター層を介して、これに連通する通水管に温水を供給することで、液密性袋体を簡単に溶解して、フィルター層と地下水脈とを連通させることができるし、また、生分解性プラスチックシートで液密性袋体を構成すると、時間の経過に伴って、シートが土中のバクテリアやカビなどの微生物で分解されるので、何もしなくてもフィルター層と地下水脈とを連通させることができる。
前記止水プレートは、柱列状に形成される前記ソイルセメント壁体の端部重合部分に位置対応して設けられた凹部を有する波形に形成することができる。
この構成によれば、厚み方向に凹凸がある列状に形成されるソイルセメント壁体に対して、波形を凹凸に一致させることで、桁高が大きい芯材を挿入する場合でも、止水プレートをソイルセメント壁体内に引き込み易くなる。
前記通水管は、下端開口が前記止水プレートに設けられた貫通孔に固設さすることができる。
この構成によれば、止水プレートをソイルセメント壁体内に引き込むと、これと同時に通水管も引き込むことができる。
前記貫通孔は、前記止水プレートの前記凹部に設けら、前記通水管を前記貫通孔に固設することができる。
この構成によれば、凹部が設けられているソイルセメント壁体の端部重合部分は、これ以外の部分のように芯材が存在しておらず、ソイルセメントだけが存在して、比較的大きな部材の挿入が可能な個所となっており、このような個所を通水管の設置用として有効に利用することができる。
前記フィルター層は、２液性の連続発泡ゴム材から構成することができる。
一方、本発明は、現地盤土砂にセメントスラリーを供給して混合攪拌して固化させるソイルセメント壁体を地盤中に形成する地中連続壁の構築方法において、前記ソイルセメント壁体の固化前に応力負担用の芯材を挿入するとともに、前記ソイルセメント壁体の外方地山側に通水部を形成する通水性地中連続壁の構築方法であって、前記通水部は、止水プレートと、フィルター層と、通水管とを備え、前記ソイルセメント壁体の固化前に、前記芯材間に前記止水プレートを渡設し、前記止水プレートと前記外方地山との間に、発泡膨張させて連続気泡を形成して通水性が付与されるフィルター層形成材を液密性袋体内に収納して挿入し、その後に、前記フィルータ層形成材を発泡膨張させて、通水性を有する前記フィルター層を形成するとともに、前記液密性袋体を除去して、前記外方地山に前記フィルター層を接触させ、一端側が前記フィルター層と連通する前記通水管を設けるようにした。
このように構成した通水性地中連続壁の構築方法によれば、通水部は、止水プレートと、フィルター層と、通水管とを備え、ソイルセメント壁体の固化前に、芯材間に止水プレートを渡設し、止水プレートと外方地山との間に、発泡させて連続気泡を形成して通水性が付与されるフィルター層形成材を液密性袋体に収納して挿入し、その後に、フィルータ層形成材を発泡膨張させて、通水性を有するフィルター層を形成するとともに、液密性袋体を除去して、外方地山にフィルター層を接触させ、一端側が前記フィルター層と連通する前記通水管を設けるので、ソイルセメント壁体の構築後に新たな掘削孔を設ける必要がない。
上記構築方法では、前記フィルータ層形成材を発泡させる前に、前記芯材と前記ソイルセメント壁体の内方地山との間に、伸縮性袋体を設置し、前記フィルータ層形成材を発泡させる時に、前記伸縮性袋体内にセメントミルクなどの硬化性液体を注入して、前記伸縮性袋体を拡開させることができる。
この構成によれば、芯材と前記ソイルセメント壁体の内方地山との間に、伸縮性袋体を設置し、フィルータ層形成材を発泡させる時に、伸縮性袋体内にセメントミルクなどの硬化性液体を注入して、伸縮性袋体を拡開させることで、拡開させた伸縮性袋体を、フィルータ層形成材を発泡させる時の反力受けにすることができ、フィルータ層形成材の発泡膨張に伴う芯材の移動を防止することができる。
前記ソイルセメント壁体を固化させて形成した後に、前記フィルター層を前記通水管を介して洗浄することができる。
この構成によれば、硬化スラリーなどによるフィルター層の目詰まりを洗浄により、使用前ないしは使用後の任意の時期に除去することができる。
【００１２】
【発明の実施の形態】
以下、本発明の好適な実施の形態について、添付図面に基づいて詳細に説明する。図１から図９は、本発明にかかる通水性地中連続壁およびその構築方法の一実施例を示している。
【００１３】
本実施例にかかる通水性地中連続壁１０は、図９にその構築完了状態を示すように、現地盤土砂をセメントスラリーで固化させた複数本のソイルセメント柱体１２と、各ソイルセメント柱体１２中に挿入設置された応力負担用の芯材１４と、ソイルセメント柱体１２の外方地山Ａに設けられた通水部１６とを備えている。
【００１４】
なお、本実施例においては、図９などの各上面図において、ソイルセメント柱体１２の下部側が根切り掘削される内方地山Ｂとなっていて、柱体１２を挟んでその上部側が掘削されない外方地山Ａとなっている。
【００１５】
本実施例の場合には、ソイルセメント柱体１２は、地盤中に所定の間隔を隔てて既に形成されている一対の先行ソイルセメント柱体１２ａと、この先行ソイルセメント柱体１２間に形成される３本の後行ソイルセメント柱体１２ｂ１〜１２ｂ３とから構成されている。
【００１６】
これらの先行および後行ソイルセメント柱体１２ａ，１２ｂ１〜１２ｂ３は、側方に隣接したもの同士の端部が相互に重なり合った重合部分Ｃを形成するようにして、一列状に連結形成されている。
【００１７】
各ソイルセメント柱体１２ａ，１２ｂ１〜１２ｂ３は、現地盤土砂を掘削しながらセメントスラリーと混合攪拌することで形成され、このような混合物が固化して形成されるソイルセメント柱体１２ａ，１２ｂ１〜１２ｂ３からなる柱列壁は、通常、遮水性を備えている。
【００１８】
芯材１４は、本実施例の場合には、Ｈ型鋼から構成されていて、各ソイルセメント柱体１２ａ，１２ｂ１〜１２ｂ３の中央部に、これらの柱体１２ａ，１２ｂ１〜１２ｂ３が固化する前に挿入される。
【００１９】
通水部１６は、遮水性を備えた柱列壁に所定の通水性能を与えるものであって、本実施例の場合には、止水プレート１８と、フィルター層２０と、通水管２２とを備えている。
【００２０】
止水プレート１８は、後行ソイルセメント柱体１２ｂ１〜１２ｂ３が固化する前に、後行ソイルセメント柱体１２ｂ１〜１２ｂ３に挿入設置されるものであって、各後行ソイルセメント柱体１２ｂ１〜１２ｂ３にそれぞれ挿入された芯材１４間に跨るように渡設されている。
【００２１】
本実施例の止水プレート１８は、芯材１４の外方地山Ａ側のフランジ１４ａにそれぞれ当接される３つの平坦部１８ａと、これらの平坦部１８ａ間に設けられた一対の凹部１８ｂとを備え、水平断面がほぼ波形に形成されている。
【００２２】
一対の凹部１８ｂは、後行ソイルセメント柱体１２ｂ１〜１２ｂ３の端部に形成された重合部分Ｃに位置対応するように設けられ、かつ、内方地山Ｂ側に突出するように形成されている。
【００２３】
このような構成の止水プレート１８は、後行ソイルセメント柱体１２ｂ１〜１２ｂ３で形成した厚み方向に凹凸のある柱列に対して、平坦部１８ａと凹部１８ｂとで形成する波形をこの凹凸に一致させることで、桁高の大きい芯材１４を用いた場合でも、止水プレート１８を後行ソイルセメント柱体１２ｂ１〜１２ｂ３内に容易に挿入設置することができる。
【００２４】
フィルター層２０は、例えば、連続発泡ゴム材から構成され、ソイルセメント柱体１２ｂ１〜１２ｂ３の固化前に、止水プレート１８と外方地山Ａとの間に、温水で溶解する液密性袋体２４に収納して挿入され、その後に、発泡，膨張させて連続気泡を形成して通水性が付与されるものである。
【００２５】
このような発泡，膨張により、フィルター層２０は、一方端側が止水プレート１８の内面側に接触するとともに、温水に溶解させて液密性袋体２４を除去することにより、他方端側が外方地山Ａに直接接触させられる。
【００２６】
フィルター層２０は、地盤中に存在する地下水脈にその一部ないしは全部が臨むような深度位置や、ソイルセメント柱体１２ｂ１〜１２ｂ３の全長に渡って設けることができる。
【００２７】
なお、フィルター層２０の形成方法は、連続発泡ゴム材単独で連続気泡を形成すること以外に、例えば、ウレタン発泡とともに、その内部に後述する温水溶解性ないしは生分解性プラスチック製の繊維を混入しておき、これらの繊維を温水で溶解したり、あるいは、微生物により分解除去させて、独立気泡間を連続させるようにしてもよい。なお、このような温水溶解性や生分解性の合成樹脂は、後述する袋体２４に用いるものと同じものを使用することができる。
【００２８】
通水管２２は、両端が開口したパイプ状のものであって、図５に示すように、その下端側が略Ｌ字状に屈曲していて、本実施例の場合には、２本から構成されている。
【００２９】
通水管２２の下端側開口は、止水プレート１８に貫通形成された貫通孔１８ｃに固設されており、止水プレート１８と外方地山Ａとの間に介在するフィルター層２０と連通している。
【００３０】
止水プレート１８の貫通孔１８ｃは、重合部分Ｃに位置対応するように配置された凹部１８ｂに設けられている。従って、本実施例の場合には、通水管２２は、ソイルセメント柱体１２ｂ１〜１２ｂ３の端部重合部分Ｃに配設される。
このような位置に通水管２２を配置すると、端部重合部分Ｃは、これ以外の部分のように芯材１４が存在しておらず、ソイルセメントだけが存在して、比較的大きな部材の挿入が可能な個所となっており、このような個所を通水管２２の設置用として有効に利用することができる。
【００３１】
また、通水管２２を端部重合部分Ｃに配設すると、その大径化が容易なので、例えば、通水管２２内には、揚水ポンプを内蔵設置することができる。
【００３２】
さらに、通水管２２の上端側は、ソイルセメント柱体１２ｂ１〜１２ｂ３の長手軸方向に沿って、上方に延設されている。本実施例のように、通水部１６にこのような構成の通水管２２を用いると、通水管２２は、下端開口がフィルター層２０と連通し、上端側がソイルセメント柱体１２ｂ１〜１２ｂ３に沿って上方に延設されるので、根切り掘削深度以下の地下水脈を対象とする通水性も確保することができる。
【００３３】
なお、通水管２２の設置状態は、ソイルセメント柱体１２ｂ１〜１２ｂ３の長手軸方向に沿って、上方に延設すること以外に、図５に仮想線で示すように、水平方向に延設させてもよい。この場合、通水管２２の端部は、内部の根切り掘削までは、閉塞しておく。
【００３４】
一方、芯材１４と内方地山Ｂとの間には、フィルター層２０を発泡させて膨張させる際の反力受け部２６が設けられている。本実施例の反力受け部２６は、両端が芯材１４と内方地山Ｂとにそれぞれ当接していて、伸縮性袋体２６ａと、この伸縮性袋体２６ａ内に注入充填された硬化体２６ｂとを備えている。
【００３５】
硬化体２６ｂは、例えば、モルタルやセメントミルクなどが硬化したものであり、フィルター層２０を発泡，膨張させる際に、これらの液体を伸縮性袋体２６ａ内に注入して、伸縮性袋体２６ａを拡大させて、その両端を芯材１４と内方地山Ｂとそれぞれ接触させる。
【００３６】
次ぎに、上記構成の通水性地中連続壁１０の構築方法について、添付図面に基づいて説明する。通水性地中連続壁１０を構築する際には、まず、図１に示すように、先行ソイルセメント柱体１２ａ間に、後行ソイルセメント柱体１２ｂ１〜１２ｂ３が形成される。
【００３７】
先行ソイルセメント柱体１２ａは、その内部に芯材１４が挿入されていて、すでに固化している。本実施例の場合には、この先行ソイルセメント柱体１２ａ間に、端部に重合部分Ｃを設けた３連の後行ソイルセメント柱体１２ｂ１〜１２ｂ３を形成する。
【００３８】
後行ソイルセメント柱体１２ｂ１〜１２ｂ３を形成する際には、従来と同様に、現地盤土砂とセメントスラリーとを混合攪拌して、混合物が固化する前に、図２に示すように、芯材１４をそれぞれ挿入するが、この際に、図４，５に示すように、芯材１４とともに通水部１６の形成部材が設置される。
【００３９】
すなわち、本実施例の通水部１６の形成部材は、止水プレート１８，温水溶解性の液密性袋体２４および止水プレート１８に固設された通水管２２とから構成されているので、液密性袋体２４を止水プレート１８に係止した状態で、例えば、ロープやワイヤなどを用いて、まだ固化していない後行ソイルセメント柱体１２ｂ１〜１２ｂ３内に引き込む。
【００４０】
この場合、止水プレート１８は、平坦部１８ａと凹部１８ｂとを有する波形に形成され、この波形が柱列の厚み方向の凹凸に対応しているので、比較的容易にソイルセメント柱体１２ｂ１〜１２ｂ３内に引き込むことができる。
【００４１】
止水プレート１８は、平坦部１８ａが、各芯材１４の外方地山Ａ側のフランジ１４ａの外面に当接するようにして、芯材１４間に渡設し、かつ、通水管２２が重合部分Ｃに位置するように設置する。
【００４２】
また、液密性袋体２４は、止水プレート１８の外方地山Ａ側に配置する。一方、各芯材１４の内方地山Ｂのフランジ１４ｂの外方には、一端側がこれに接触するようにして伸縮性袋体２６ａがそれぞれ挿入配設される。
【００４３】
以上の通水部１６の形成部材および伸縮性袋体２６ａが設置されると、図６に示すように、液密性袋体２４内にフィルター層形成材料が注入される。このフィルター層形成材料は、例えば、２液性の発泡ゴム材であって、主材を注入した後に、発泡開始材を混合することにより、発泡，膨張して連続気泡が形成されて、通水性が得られるものを採用することができる。
【００４４】
このようなフィルター層形成材料を液密性袋体２４内に注入して発泡，膨張させてフィルター層２０を形成すると、袋体２４は、一端側が止水プレート１８に当接し、他端側が外方地山Ａに当接するようになる。
【００４５】
このとき、フィルター層形成材料の発泡，膨張による芯材１４の移動を防止するために、伸縮性袋体２６ａ内にセメントミルクなどの硬化材２６ａを注入して、伸縮性袋体２６ａを拡径させて、これが芯材１４のフランジ１４ｂと内方地山Ｂの双方に当接するようにし、反力受け部２６とする。
【００４６】
このような反力受け部２６は、必ずしも必須のものではないが、これを設けておくことにより、フィルター層形成材料の発泡，膨張による芯材１４の移動を防止することができるし、また、袋体２４を外方地山Ａに強く押圧することもできる。
【００４７】
なお、反力受け部２６は、フィルター層形成材料の発泡，膨張させる前に、硬化材２６ａを注入して、伸縮性袋体２６ａを拡開させても良い。
【００４８】
そして、時間の経過とともにソイルセメント柱体１２ｂ１〜１２ｂ３が固化すると、図８に示すように、通水管２２を介して、温水を供給し、液密性袋体２４を溶解させて、発泡，膨張させられて連続気泡を有するフイルター層２０を直接外方地山Ａに接触させる。
【００４９】
このような温水溶解性の袋体２４は、溶解温度の選択が可能な合成樹脂シート、例えば、ソルブロン（株式会社ニチビ製，商品名）を用いることができる。
【００５０】
そして、次ぎに、必要に応じて、通水管２２を介して、洗浄水や圧縮空気をフイルター層２０に送り込んで、外方地山Ａ側に残っているスラリーなどを除去して、通水能力の向上を図る。
【００５１】
なお、この実施例で示した液密性袋体２４は、必ずしも温水溶解性である必要はなく、例えば、通水管２２を介して、高圧水や高圧空気を供給することで破断除去できる構成のものや、薬剤により溶解するもの、さらには、土中のバクテリアやカビなどの微生物で分解される生分解性プラスチックシート、例えば、スーパーペーパー（信越ポリマー株式会社製商品名）、プラスターチ（株式会社クラレ製、商品名）、ビオノーレ（昭和高分子株式会社製、商品名）などであっても良い。
【００５２】
以上のようにして、地中連続壁１０に通水部１６が設けられると、例えば、同一構成の地中連続壁１０を所定の間隔を隔てて、対向形成し、地中連続壁１０間に構造物を築造する場合には、対向形成された連続壁１０のそれぞれに設けられた通水部１６を、通水管２２同士の接続により連通することで、地下水の遮断現象が解消される。
【００５３】
また、一列状に形成された地中連続壁１０の場合には、通水部１６の連通管２２の上端側を、連続壁１０で遮断した地下水脈の下流側に放流すれば、地下水の遮断現象が解消される。
【００５４】
さらに、地下水の排除だけを目的とする場合には、例えば、通水部１６の通水管２２の下端側に揚水ポンプを内蔵させると、通水性地中連続壁１０をディープウエルとして用いることもできる。
【００５５】
さて、以上のように構成した通水性地中連続壁１０によれば、通水部１６には、ソイルセメント柱体１２ｂ１〜１２ｂ３の外周から外方地山Ａ側に突出する部分が存在しない。
【００５６】
従って、従来の通水性地中連続壁のように、周辺用地に制約がある場合に、施工が制限されることがなく、施工の自由度が広くなる。
【００５７】
また、上記工程で施工される通水性地中連続壁の構築工法によれば、ソイルセメント柱体１２ｂ１〜１２ｂ３の構築後に、集水手段を設けるための掘削などが不用になり、施工工程の複雑化を回避しつつ、手間と施工費の低減を図ることができる。
【００５８】
また、本実施例の場合には、ソイルセメント柱体１２ｂ１〜１２ｂ３を固化させて列状に形成した後に、フィルター層２０を通水管２２を介して洗浄することができる。従って、硬化スラリーなどによるフィルター層２０の目詰まりを洗浄により、使用前ないしは使用後の任意の時期に除去することができる。
【００５９】
なお、上記実施例では、後行ソイルセメント柱体１２ｂ１〜１２ｂ３に通水部１６を設ける場合を例示したが、通水部１６は、先行ソイルセメント柱体１２ａ側に設けることもできる。
【００６０】
また、上記実施例では、一対の先行ソイルセメント柱体１２ａ間に、３連の後行ソイルセメント柱体１２ｂ１〜１２ｂ３を形成する場合を例示したが、本発明の実施は、これに限定されることはなく、たとえば、一方向に連続してソイルセメント柱体を列状に形成する場合にも適用することができるし、一連のソイルセメント柱体の数も３に限ることはない。
【００６１】
また、上記実施例では、本発明を柱列状のソイルセメント柱体で形成する壁体に適用した場合を例示したが、本発明の実施は、これに限定されることはなく、例えば、トレーダートレンチ工法などにより等厚のソイルセメント壁を構築する場合にも適用することができる。
【００６２】
【発明の効果】
以上、詳細に説明したように、本発明にかかる通水性地中連続壁およびその構築方法によれば、構築後に新たな掘削工程を要することなく構築することができるとともに、適用する際の用地制限となる外部地山側への突出部分がなくなる。
【図面の簡単な説明】
【図１】本発明にかかる通水性地中連続壁の構築方法の初期工程の上面説明図である。
【図２】図１に引続いて行われる工程の上面説明図である。
【図３】図２の要部縦断面説明図である。
【図４】図２に引続いて行われる工程の上面説明図である。
【図５】図４の要部縦断面説明図である。
【図６】図４に引続いて行われる工程の上面説明図である。
【図７】図６の要部縦断面説明図である。
【図８】図６に引続いて行われる工程の上面説明図である。
【図９】本発明にかかる通水性地中連続壁の一実施例を示す上面説明図である。
【符号の説明】
１０          通水性地中連続壁
１２          ソイルセメント柱体
１２ａ        先行ソイルセメント柱体
１２ｂ１〜１２ｂ３    後行ソイルセメント柱体
１４          芯材
１６          通水部
１８          止水プレート
２０          フィルター層
２２          通水管
２４          液密性袋体
２６          反力受け部
【図１】
0003726671.tif 000002
【図２】
0003726671.tif 000003
【図３】
0003726671.tif 000004
【図４】
0003726671.tif 000005
【図５】
0003726671.tif 000006
【図６】
0003726671.tif 000007
【図７】
0003726671.tif 000008
【図８】
0003726671.tif 000009
【図９】
0003726671.tif 000010